(57)【要約】      （修正有）【課題】保持される摺動ドアの単純な調整を可能とした接続デバイス及び１つの家具、特にワードローブを提供する。【解決手段】接続デバイス１０は、組付け板１を備え、組付け板１は、組付けねじにより摺動ドアに接続可能であり、且つキャリッジ・デバイスに接続可能である。組付け板１と結合板３との間に配置され、キャリッジ・デバイスに接続可能である接続板２を設ける。接続板２は、第１の方向に変位可能であり、第１の接続要素４１によって組付け板１に接続され、組付け板１に接続した第１の調節ねじ１２によって、第１の選択変位位置に変位可能に保持される。結合板３は、第２の方向に変位可能であり、第２の接続要素４２によって接続板２に接続され、接続板２に接続した第２の調節ねじ２３によって、第２の選択変位位置に変位可能に保持される。【選択図】図３
2016205127.tif 000002
【特許請求の範囲】
【請求項１】
組付け板（１）を有する接続デバイス（１０）であって、前記組付け板（１）は、組付けねじ（９９）により摺動ドア（９１）に接続可能であり、且つキャリッジ・デバイス（８Ａ）に接続可能であり、
前記組付け板（１）と結合板（３）との間に配置され、前記キャリッジ・デバイス（８Ａ）に接続可能である接続板（２）が設けられ、
前記接続板（２）は、第１の方向で変位可能であり、第１の接続要素（４１）によって前記組付け板（１）に接続され、前記組付け板（１）に接続された第１の調節ねじ（１２）によって、第１の選択変位位置に変位可能に保持され、
前記結合板（３）は、第２の方向で変位可能であり、第２の接続要素（４２）によって前記接続板（２）に接続され、前記接続板（２）に接続された第２の調節ねじ（２３）によって、第２の選択変位位置に変位可能に保持される、接続デバイス（１０）。
【請求項２】
前記接続板（２）は、前記組付け板（１）に対して水平方向に変位可能であり、前記結合板（３）は、前記接続板（２）に対して垂直方向に変位可能であるか、又は前記接続板（２）は、前記組付け板（１）に対して垂直方向に変位可能であり、前記結合板（３）は、前記接続板（２）に対して水平方向に変位可能である、請求項１に記載の接続デバイス（１０）。
【請求項３】
前記第１の接続要素（４１）は、互いに係合されるフランジ要素であるか、又は前記組付け板（１）に設けた第１の受入れ開口（１４）及び前記接続板（２）に設けた第１の長手方向細穴（２４）内に保持される第１の接続ねじ又はリベットである、請求項１に記載の接続デバイス（１０）。
【請求項４】
前記第２の接続要素（４２）は、互いに係合されるフランジ要素であるか、又は前記接続板（２）に設けた第２の受入れ開口（２６）及び前記結合板（３）に設けた第２の長手方向細穴（３４）内に保持される第２の接続ねじである、請求項１に記載の接続デバイス（１０）。
【請求項５】
前記第１の長手方向細穴（２４）及び前記第２の長手方向細穴（３４）は、傾斜するか又は互いに直交する前記第１の方向又は前記第２の方向に従って位置合わせされる、請求項３又は４に記載の接続デバイス（１０）。
【請求項６】
前記組付け板（１）は、組付けフランジ（１１）を備え、前記接続板（２）は、第１の接続フランジ（２１）を備え、前記組付けフランジ（１１）又は前記第１の接続フランジ（２１）は、前記第１の調節ねじ（１２）を受け入れるねじ穴を備え、前記第１の接続フランジ（２１）又は前記組付けフランジ（１１）は、前記第１の調節ねじ（１２）を回転可能に保持する保持要素（１１１）を備える、請求項１に記載の接続デバイス（１０）。
【請求項７】
前記接続板（２）は、第２の接続フランジ（２２）を備え、前記結合板（３）は、前記第２の接続フランジ（２２）が中に延在する結合フランジ（３１）及び窓開口（３５）を備え、前記結合フランジ（３１）又は前記第２の接続フランジ（２２）は、前記第２の調節ねじ（２３）を受け入れるねじ穴を備え、前記第２の接続フランジ（２２）又は前記結合フランジ（３１）は、前記第２の調節ねじ（１２）を回転可能に保持する第２の保持要素（３１１）を備える、請求項１に記載の接続デバイス（１０）。
【請求項８】
第３の調節ねじ（１３）が設けられ、前記第３の調節ねじ（１３）により前記結合板（３）又は前記結合板（３）の一部は、前記組付け板（１）に対して曲げることができるか、或いは前記第３の調節ねじ（１３）により前記組付け板（１）又は前記組付け板（１）の一部は、前記結合板（３）に対して曲げることができる、請求項１に記載の接続デバイス（１０）。
【請求項９】
前記第３の調節ねじ（１３）は、調節フランジ（１５）内に設けたねじ穴（１５０）に保持され、前記調節フランジ（１５）は、前記第３の調節ねじ（１３）は停止部材（２５）に対して回すことができるように前記組付け板（１）に設けられ、前記停止部材（２５）は、前記接続板（２）又は前記結合板（３）に設けられる、請求項８に記載の接続デバイス（１０）。
【請求項１０】
前記組付け板（１）又は前記接続板（２）又は前記結合板（３）は、関節接合部（１９０）を備え、前記関節接合部（１９０）の周りで、前記組付け板（１）又は前記結合板（３）又は前記組付け板（１）の一部又は前記結合板（３）の一部は、前記第３の調節ねじ（１３）を操作すると曲げることができる、請求項８又は９に記載の接続デバイス（１０）。
【請求項１１】
前記関節接合部（１９０）は、少なくとも１つの切開部（１９）に隣接する屈曲可能接合部である、請求項１０に記載の接続デバイス（１０）。
【請求項１２】
前記第２の調節ねじ（２３）及び前記第３の調節ねじ（１３）は、前記接続デバイス（１０）の上側又は下側の同じ側に配置される、請求項９又は１０に記載の接続デバイス（１０）。
【請求項１３】
前記組付け板（１）、前記接続板（２）及び／又は前記結合板（３）はそれぞれ、前記調節フランジ（１５）及び前記停止部材（２５）を除いて、対称的に形成され、鋼鉄、鋼板又は亜鉛ダイカストから製造される、請求項１に記載の接続デバイス（１０）。
【請求項１４】
少なくとも１つの摺動ドア（９１、９２）を有するワードローブ等の１つの家具（９）であって、前記少なくとも１つの摺動ドア（９１、９２）は、請求項１に記載の少なくとも１つの接続デバイス（１０）により、関連するキャリッジ・デバイス（８Ａ；８Ｂ）と共に接続される、１つの家具（９）。
【請求項１５】
請求項１４に記載の１つの家具（９）であって、前記少なくとも１つの接続デバイス（１０）は、前記少なくとも第２の調節ねじ（２３）及び又は前記第３の調節ねじ（１３）に前記摺動ドア（９１；９２）の下又は上から接近できるように前記１つの家具（９）の下側又は上側で前記摺動ドア（９１；９２）を拡張させる、１つの家具（９）。
【発明の詳細な説明】
【技術分野】
【０００１】
本発明は、摺動ドア、特に１つの家具の摺動ドアのための接続デバイスに関し、摺動ドアは、案内デバイスによって、１つの家具、特にワードローブに対し変位可能に保持され、少なくとも１つの摺動ドアは、そのような接続デバイスにより保持される。
【背景技術】
【０００２】
米国特許第８７６３２０５Ｂ２号明細書は、キャリッジ・デバイスによって保持、案内される複数の摺動ドアを有するワードローブを開示しており、キャリッジ・デバイスは、摺動ドアがワードローブ開口からずれて側方に移動できるように案内レールに沿って保持、案内される。こうしたキャリッジ・デバイスは、接続デバイスを介して摺動ドアに接続されるキャリッジ・アームを備える。
【０００３】
この種の摺動ドアを有するワードローブの欠点は、摺動ドアを変位させる際の衝突を防止するため、及び有利な外観をもたらすために、摺動ドアを正確に位置合わせする必要があることである。そのため、公知の接続デバイスは、保持される摺動ドアの単純な調節が可能ではない。
【０００４】
例えば米国特許第８３８１３５４Ｂ２号明細書に示されるように、摺動ドアを調節する選択肢は、キャリッジ・デバイス内に設けられることも多い。このことは、複雑なキャリッジ・デバイスを必要とし、したがって極めて高価である。
【０００５】
更に公知であるのは、互いに対して可動である部品を有する調節デバイスであり、これらの部品は、調節を可能にする前に、互いから解放する必要があることが多い。そのようなデバイスは、典型的には、複雑な設計を含み、調節が困難である。というのは、デバイスの部品を相互に移動させ、次に相互に固定した後、更なる調節を必要とすることが多いためである。
【先行技術文献】
【特許文献】
【０００６】
【特許文献１】米国特許第８７６３２０５Ｂ２号明細書
【特許文献２】米国特許第８３８１３５４Ｂ２号明細書
【発明の概要】
【課題を解決するための手段】
【０００７】
したがって、本発明は、改良された接続デバイス及び１つの家具、特にワードローブを提供する目的に基づくものであり、ワードローブは、そのような改良された接続デバイスにより保持される少なくとも１つの摺動ドアを有する。
【０００８】
詳細には、接続デバイスを創出するものとし、この接続デバイスは、少なくとも高さ位置、側方位置において及び好ましくは傾斜位置においても、接続デバイスによって保持される摺動ドア又は全体が平坦な分離要素の調節を可能にする。
【０００９】
接続デバイスは、構造が単純でスペースをほとんど必要としないものとする。更に、接続デバイスは、その設置後、調節が簡単であるものとする。
【００１０】
それにより、調節可能デバイス部品の相互固定手段は、接続デバイスの調節のために最初に解放する必要があるが、この相互固定手段を必要としないようにするものとする。より具体的には、後からの調節を必要としないようにするものとする。
【００１１】
したがって、１つ又は２つの接続デバイスにより保持されるワードローブ摺動ドアは、これらの摺動ドアがワードローブの縁部及び前面と面一に位置合わせできるように、且つこれらの摺動ドアが所望の位置、及び端部位置における相互距離を達成するように、調節可能であるものとする。
【００１２】
この課題は、請求項１に記載の特徴を含む接続デバイス、及びそのような接続デバイスを有する請求項１４に記載の特徴を含む１つの家具、特にワードローブにより解決される。本発明の好ましい実施形態は、更なる請求項で規定される。
【００１３】
組付け板を備える接続デバイスは、組付けねじにより摺動ドアに接続可能であり、且つキャリッジ・デバイスに接続可能である。接続デバイスは、接続板を更に備え、接続板は、組付け板と結合板との間に配置され、キャリッジ・デバイスに接続可能である。接続板は、第１の方向に変位可能に、第１の接続要素によって組付け板に接続され、組付け板に接続した第１の調節ねじによって、第１の選択変位位置に変位可能に保持される。結合板は、第２の方向に変位可能に、第２の接続要素によって接続板に接続され、接続板に接続した第２の調節ねじによって、第２の選択変位位置に変位可能に保持される。
【００１４】
好ましくは遊びがなく互いに組み付けられ、多くの変位選択肢をもたらす３つの板を有する接続デバイスの構造は、わずかなスペースしか必要としない。
【００１５】
接続板は、第１の接続要素によって組付け板に接続され、第１の方向、好ましくは水平方向に、組付け板に対して変位可能に保持される。
【００１６】
結合板は、第２の接続要素によって組付け板に接続され、第２の方向、好ましくは垂直方向に、接続板に対して変位可能に保持される。
【００１７】
第１の接続要素及び第２の接続要素は、例えば接続ねじ、リベット又はフランジ要素であり、これらは、例えば長手方向細穴に保持され、対応する溝に係合されるか又は対応するフランジ要素と重なり合う。組付け板は、それぞれの上側及び下側に、例えば接続板が中で変位可能である保持溝を備え、接続板の境界が保持溝内に係合されるようにする。接続板の長手方向細穴を横断して、組付け板の受入れ開口、例えばねじ穴に係合する接続ねじ又はリベットの使用、又は結合板の長手方向細穴を横断して、接続板の受入れ開口、例えばねじ穴に係合する接続ねじ又はリベットの使用が有利である。
【００１８】
好ましくは、真鍮製のリベットを使用し、これらのリベットは、一方では組付け板及び接続板の遊びのない接続、並びに他方では接続板及び結合板の遊びのない接続を可能にし、依然としてこれらの板の相互移動を可能にする。組付け板及び／又は接続板及び／又は結合板は、好ましくは鉄鋼、鋼板又は亜鉛ダイカストから製造される。亜鉛ダイカストによる製造は、遊びなく当接するがあまり力を用いずに相互移動することを可能にする。
【００１９】
第１の長手方向細穴及び第２の長手方向細穴は、傾斜又は互いに直交する規定の変位方向に従って位置合わせされる。
【００２０】
第１の調節ねじを用いる組付け板及び接続板の接続、並びに第２の調節ねじを用いる結合板の接続板との接続は、いくつかの様式で達成できる。好ましくは、組付け板、接続板及び結合板の部品は、フランジ要素として設計し、これらのフランジ要素は、第１の調節ねじ又は第２の調節ねじによって互いに対で接続され、互いに向かって又は互いから離れる方向に変位可能である。
【００２１】
これらのフランジ要素は、有利には、組付け板、接続板又は結合板から部分的に切開でき、互いに平行に位置合わせされるように例えば９０°曲げることができる。関連する摺動ドアの荷重を完全又は部分的に保持するフランジ要素は、安定化要素、例えば安定化リブに接続できる。
【００２２】
組付け板は、好ましくは組付けフランジを備え、組付けフランジは、好ましくはねじ穴を備える。接続板は、好ましくは第１の接続フランジを備え、第１の接続フランジは、好ましくは第１の保持要素を備える。したがって、第１の調節ねじは、接続フランジに設けた第１の保持要素に挿入でき、組付けフランジ内で回すことができる。この目的で、第１の調節ねじは、好ましくは、ねじ頭の下につばを備え、例えば二又の形態を有する第１の保持要素がねじ頭とつばとの間に進入でき、ねじシャフトと係合できるようにする。したがって、第１の調節ねじは、接続フランジによって保持され、回転可能であるが軸方向には変位可能ではない。
【００２３】
接続板は、好ましくは第２の接続フランジを備える。結合板は、好ましくは結合フランジを備え、結合フランジは、好ましくは第２の保持要素を備える。したがって、第２の調節ねじは、結合フランジの第２の保持要素に挿入でき、第２の接続フランジ内で回すことができる。この目的で、第２の調節ねじは、好ましくは、ねじ頭の下につばを備え、例えば二又の形態を有する第２の保持要素がねじ頭とつばとの間に進入でき、ねじシャフトと係合できるようにする。したがって、第２の調節ねじは、結合フランジによって保持され、回転可能であるが軸方向には変位可能ではない。
【００２４】
第１の調節ねじ及び第２の調節ねじを使用すると、組付け板は、１つの面を変位できる。水平移動によって、組付け板は、接続板に対して変位でき、垂直移動によって、接続板は、結合板に対して変位でき、それに応じて摺動ドアを位置合わせするようにする。
【００２５】
好ましい実施形態では、第３の調節ねじが設けられ、第３の調節ねじにより、結合板又は結合板の一部を組付け板に対して曲げることができるか、又は第３の調節ねじにより、結合板又は結合板の一部を組付け板に対して曲げることができる。第３の調節ねじを回すと、組付け板、したがって組付け板に接続した摺動ドアは、結合板に対し限定された角度範囲で傾けることができる。
【００２６】
したがって、第１の調節ねじ、第２の調節ねじ及び第３の調節ねじを使用すると、２つの摺動ドアは、高さ位置、側方位置及び傾斜位置で互いに対して位置合わせできる。全ての調節は、接続デバイスで好都合に実行できる。調節を容易にするために、第２の調節ねじ及び第３の調節ねじは、接続デバイスの同じ側に配置される。接続デバイスは、好ましくは、第２の調節ねじ及び第３の調節ねじに摺動ドアの下から容易に接近できるように摺動ドアの下側に配置される。第２の調節ねじ及び第３の調節ねじは、摺動ドアの下にあり、背後にずれるため、ユーザからは見えないが、整備員は好都合に接近できる。接続デバイスを組み付ける場合、摺動ドアの側にベゼルの組付けを省くことができる。
【００２７】
好ましい実施形態では、第３の調節ねじは、組付け板に設けた調節フランジ内に設けたねじ穴に保持し、第３の調節ねじを、接続板又は結合板に設けた停止部材に対して回すことができるようにする。
【００２８】
組付け板、接続板又は結合板は、好ましくは関節接合部を備え、関節接合部の周りで、組付け板又は結合板又は組付け板の一部又は結合板の一部は、第３の調節ねじを作動する際に曲げることができる。関節接合部は、好ましくは、少なくとも１つの切開部に隣接する屈曲可能接合部である。即ち、好ましくは、組付け板の一部、接続板の一部又は結合板の一部は、屈曲区域を形成するように寸法決定し、この屈曲区域は、第３の調節ねじを回すことによって変形でき、それにより、組付け板又は結合板の一部は、所望の程度に曲げることができる。
【００２９】
組付け板、接続板及び／又は結合板は、好ましくは対称的に設計される。組付け板及び接続板は、好ましくは両側に、第１の調節ねじを挿入できる対応するフランジ要素を備える。このようにして、接続デバイスは、摺動ドアの左側又は右側、又は中央にも組み付け、調節できる。第１の調節ねじは、接続フランジ及び組付けフランジに挿入され、接続フランジ及び組付けフランジは、第１の調節ねじを把持、回すことができるように、摺動ドアの隣接縁部に対向する。
【００３０】
組付け板、接続板及び／又は結合板は、好ましくは、金属板を切開するか又は金属板から打ち抜き、必要な開口、細穴及び切開部を設け、これらにより、フランジ要素を曲げ、接続ねじ及び組付けねじを挿入可能にする。このようにして、組付け板及び接続板は、単純に製造できる。結合板は、好ましくは前記安定化リブを備え、この安定化リブにより、結合フランジは、安定化し、結合フランジの中に、好ましくは、キャリッジ・デバイスに接続するために設けた組付けねじも挿入する。
【００３１】
本発明を図面を参照しながら以下で説明する。
【図面の簡単な説明】
【００３２】
【図１ａ】本発明のワードローブ９の図であり、ワードローブ９は、本発明の接続デバイス１０、１０’及び補助用ガイド６によって保持した２つの摺動ドア９１、９２を有し、２つの摺動ドア９１、９２はそれぞれ、ワードローブ開口９０を閉鎖するように移動し、ワードローブ開口９０からずらして側方に移動できる。
【図１ｂ】関連する接続デバイス１０、１０’及び補助用ガイド６から第１の摺動ドア９１を解放した後の図１ａのワードローブ９の図である。
【図２】組付け板１を有する接続デバイス１０のうち１つの分解図であり、組付け板１は、接続板２を介して結合板３に接続可能である。
【図３】組付け板１及び接続板２の相互水平変位並びに結合板３及び接続板２の相互垂直変位の後の、図２の接続デバイス１０の組立て図である。
【図４ａ】組付け板１、接続板２及び結合板３が相互変位する前の、線Ａ−Ａに沿って図３の接続デバイス１０を通る切断図である。
【図４ｂ】続いて生じる組付け板１、接続板２及び結合板３の相互変位の、線Ａ−Ａに沿って図３の接続デバイス１０を通る切断図である。
【図５ａ】組付け板１及び接続板３の相互水平変位並びに結合板３及び接続板２の相互垂直変位を調節する間の、図３の接続デバイス１０の側面図である。
【図５ｂ】組付け板１及び摺動ドア９１に対する結合板３の傾き設定を調節する間の、図５ａの接続デバイス１０の図である。
【図６ａ】図１ｂの接続デバイス１０、１０’の図であり、接続デバイス１０、１０’は、一方の側で第１の摺動ドア９１に接続され、もう一方の側でキャリッジ・デバイスのキャリッジ・レバー７、７’のそれぞれに接続される。
【図６ｂ】前側から見える摺動ドア９１のない、図６ａの接続デバイス１０、１０’の図である。
【図６ｃ】２つのキャリッジ８Ａ、８Ｂを有する図１ａのワードローブ９の下側正面図であり、キャリッジ８Ａ、８Ｂは、それぞれ２つのキャリッジ・レバー７、７’及び関連する接続デバイス１０、１０’を介して対応する摺動ドア９１、９２に接続される。
【発明を実施するための形態】
【００３３】
図１ａは、２つの摺動ドア９１、９２を有する本発明のワードローブ９を示し、摺動ドア９１、９２は、接続デバイス１０、１０’及び補助用ガイド６によって保持される。摺動ドア９１、９２のそれぞれを使用して、関連するワードローブ開口９０を閉鎖できる。図１ａでは、第１の摺動ドア９１は外されていて、それによって関連するワードローブ開口９０が開放されている。第１の摺動ドア９１を第２の摺動ドア９２の前に側方移動可能にするために、２つの移動工程を実施した。第１の移動工程で、第１の摺動ドア９１をワードローブ開口９０から前側に向けてずらし、第２の移動工程で、第１の摺動ドア９１を第２の摺動ドア９２の前で側方にずらした。したがって、第１の摺動ドア９１に接続したキャリッジ８Ａ（図６ｃを参照）を中で案内する案内レールは、最初、湾曲部に沿って前側に向かって延在し、次に、ワードローブ９の前側に平行に延在する。第１の摺動ドア９１を閉鎖した後、第２の摺動ドア９２は、第１の摺動ドア９１の前に同様にずらすことができる。図示の実施形態では、キャリッジは、ワードローブ９の下側に配置される。摺動ドア９１、９２は、ワードローブ９の上側で、それぞれ補助用ガイド６によって保持され、下側と平行に案内される。
【００３４】
図１ａは、もう一方の前で保持される摺動ドア９１、９２の両方が正確に保持され、即ち平行に、縁部と面一の状態で位置合わせされていることを示す。このことは、摺動ドア９１、９２の両方の完全な移動を可能にするだけでなく、美観的に有利な外観ももたらす。理想的な位置からのわずかなずれは頻繁に生じるので、キャリッジ、案内デバイス及び摺動ドア９１、９２をワードローブ９内に組み付ける際、摺動ドア９１、９２の対応する調節を実施することが必要である。例えばキャリッジ・デバイスを調節するために、ワードローブ９の内部への接近を必要としないように、摺動ドア９１、９２は、本発明の接続デバイス１０、１０’と共に組み付け、これにより全ての必要な調節の実行を可能にする。
【００３５】
図１ｂは、第１の摺動ドア９１を、関連する接続デバイス１０、１０’及び補助用ガイド６から解放した後の図１ａのワードローブ９を示す。ワードローブ９の本実施形態では、２つの同一の接続デバイス１０、１０’が摺動ドア９１を組み付けるために設けられることを示す。重量を軽減させた摺動ドアを使用する場合、１つの接続デバイス１０のみを使用できる。
【００３６】
図２は、組付け板１を有する図１ａの接続デバイス１０のうち１つを分解図で示し、組付け板１は、接続板２を介して結合板３に接続可能であり、組付けねじ９９を挿入できる組付け孔１８を備え、組付けねじ９９により接続デバイス１０を摺動ドア９１に組み付けることができる。接続デバイス１０の組立て後、組付け孔１８への接近しやすさを維持するために、接続板２は、関連する受渡し開口２８を備え、それぞれの受渡し開口２８は、組付け板１及び接続板２の相互変位の後、組付けねじ９９が好ましく依然として接近できるように選択したサイズを有する。接続板２の変位を妨げる障害とならないように、組付けねじ９９の頭部は、組付け板１内に潜り込ませる。接続デバイス１０をキャリッジ・デバイスに接続するために、結合板３は２つの結合ねじ７１を備える。
【００３７】
図３は、組付け板１及び接続板２の相互水平変位並びに結合板３及び接続板２の相互垂直変位の後の、図２の組立て後の接続デバイス１０を示す。
【００３８】
接続デバイス１０は、図２及び図３を参照して以下で説明する。
【００３９】
少なくともほぼ長方形の組付け板１は、４つの角領域内に受入れ開口、例えば第１の接続ねじ又はリベット４１を挿入するねじ穴１４を備え、これら第１の接続ねじ又はリベット４１は、水平方向に位置合わせした長手方向細穴２４を通って延在し、細穴２４は、少なくともほぼ長方形の接続板２の角領域に設けられる。したがって、第１の接続ねじ４１を使用すると、組付け板１及び接続板２が接続され、互いに対して変位可能である。それによって、変位範囲は、長手方向細穴２４の長さにより画定される。
【００４０】
組付け板１は、それぞれの両側に組付けフランジ１１を備え、このフランジ１１は、組付け板１から切開され、接続板２に対して９０°曲げられ、二又形状の保持要素１１１を備える。
【００４１】
接続板２は、それぞれの両側に第１の接続フランジ２１を備え、このフランジ２１は、接続板２から切開され、結合板３に対して９０°曲げられ、第１の調節ねじ１２を挿入できるねじ穴を備える。ねじ頭及びその下のつば１２１を備える第１の調節ねじ１２は、対応する組付けフランジ１１の二又形状保持要素１１１に挿入可能である。したがって、互いに対して変位可能である第１の接続ねじ又はリベット４１によって接続される組付け板１及び接続板２は、第１の調節ねじ１２を回転させることによって互いに接して又は互いから離れて変位可能であり、第１の調節ねじ１２によって選択位置に固定したままにできる。
【００４２】
それによって、第１の調節ねじ１２は、一方の側又はもう一方の側で局所組付けフランジ１１及び第１の接続フランジ２１と接続できる。図３の実施形態では、第１の調節ねじ１２は、接続デバイス１０を摺動ドアの右側縁部に組み付ける場合、左側から取り外し、右側に挿入できる。
【００４３】
接続板２は、第２の接続フランジ２２を備え、第２の接続フランジ２２は、接続板２から切開され、結合板３に対して９０°曲げられている。
【００４４】
更に、接続板２は、受入れ開口、例えば第２の接続ねじ又はリベット４２を挿入するねじ穴２６を備え、これら第２の接続ねじ又はリベット４２は、垂直方向に位置合わせした長手方向細穴３４を通って延在し、細穴２４は、接続板２に設けられる。第２の接続ねじ又はリベット４２を使用すると、接続板２及び結合板３が接続され、互いに対して変位可能である。それによって、変位範囲は、長手方向細穴３４の長さにより画定される。
【００４５】
更に、結合板３は、第２の保持要素３１１、即ちＵ字形凹部を有する結合フランジ３１を備え、Ｕ字形凹部は、結合板３に設けられた窓開口３５に隣接する。窓開口３５は、第２の接続フランジ２２を受け入れる役目を果たし、第２の接続フランジ２２は、結合フランジ３１と平行に位置合わせされ、窓開口３５を通って延在し、窓開口３５内で垂直方向に変位可能である。結合フランジ３１は、結合ねじ７１を保持する目的を有する。
【００４６】
結合フランジ３１の保持要素３１１内に、ねじ頭及びその下につば２３１を備える第２の調節ねじ２３を組み付ける。しかし、第２の調節ねじ２３のシャフトは、第２の接続フランジ２２に設けたねじ穴内で回転可能に保持される。したがって、互いに対して変位可能である第２の接続ねじ又はリベット４２によって接続される結合板３及び接続板２は、第２の調節ねじ２３を回すことによって互いに接して又は互いから離れて変位可能であり、第２の調節ねじ２３によって選択位置に固定したままにできる。
【００４７】
したがって、第１の調節ねじ１２及び第２の調節ねじ２３によって、組付け板１及び結合板３は、互いに対して所望の位置に水平方向且つ垂直方向に変位できる。
【００４８】
更に、結合板３の傾きは、組付け板１に対して調節できる。この目的で、組付け板１は、屈曲可能接合部の実施形態では２つの関節接合部１９０を備え、関節接合部１９０は、組付け板１の本体１７を組付け板１の羽根要素１６のそれぞれと枢動接続する。両方の羽根要素１６は、組付け板１の２つの下側角によって構成され、下側角のそれぞれは、組付け板１の本体１７から切開部１９によって分離される。したがって、両方の羽根要素１６は、接合部又は屈曲可能区域１９０によって組付け板１の本体１７に接続され、これにより、羽根要素１６は、力を加えることにより、即ち第３の調節ねじ１３の回転により曲げることができる（図５ｂを参照）。
【００４９】
第３の調節ねじ１３を保持するために、図２の組付け板は下側に、ねじ穴１５０を備える調節フランジ１５を備える。ねじ穴１５０内に保持される第３の調節ねじ１３は、接続板２に設けた停止部材２５に対して回すことができる。したがって、第３の調節ねじ１３を回すことによって、接続板２の下側を結合板３と共に前方に押す。この工程によって、羽根要素１６は、接続板２と共に関節接合部１９０周りに曲がる。関節接合部１９０のこの単純な機構及び単純な設計により、組付け板１及び結合板３を互いに対して必要な角度だけ曲げ、これらを所望の位置に固定可能にする。この目的で、組付け板１は、羽根要素１６が反力と共に第３の調節ねじ１３に作用し停止部材２５と常に遊びがなく当接するのに必要な弾性を備える。
【００５０】
図３は、第１の調節ねじ１２及び第２の調節ねじ２３を調節した後の、組立て後の接続デバイス１０を示す。第１の調節ねじ１２を回すことにより、接続板２及び結合板３は、組付け板１に対して左側にずれている。第２の調節ねじ２３を回すことにより、結合板３は、組付け板１及び接続板に対して下方にずれている。
【００５１】
図４ａは、組付け板１、接続板２及び結合板３を相互変位させる前の、線Ａ−Ａに沿って図３の接続デバイス１０を通る切断図を示す。この図は、結合フランジ３１、結合フランジ３１によって保持した第２の調節ねじ２３（断面図で示す）、及び第２の接続フランジ２２が中に延在する結合板３の窓開口３５を示す。更に示すのは、第３の調節ねじ１３、好ましくはねじ付きボルトであり、第３の調節ねじ１３は、調節フランジ１５に挿入されている。更に、羽根要素１６が示され、この羽根要素１６は、切開部１９によって組付け板１の本体１７から部分的に分離され、屈曲可能接合部１９０を介して組付け板１の本体１７に接続される。したがって、第３の調節ねじ１３の回転によって、組付け板１の本体１７を羽根要素１６に対して曲げることができる。
【００５２】
図４ｂは、その後、組付け板１、接続板２及び結合板３の相互変位が生じた、線Ａ−Ａに沿って図３の接続デバイス１０を通る切断図を示す。組付け板１及び接続板２は、互いに対して水平方向に変位している。しかし、結合板３は、接続板２に対して垂直下方に変位している。
【００５３】
図５ａは、第１の調節ねじ１２を回すことによる、組付け板１及び接続板３の水平相互変位、並びに第２の調節ねじ２３を回すことによる、結合板３及び接続板２の相互垂直変位を調節する間の、側面からの図３の接続デバイス１０を示す。
【００５４】
図５ｂは、組付け板１に挿入するねじ付きボルトの実施形態で設けられる第３の調節ねじ１３を回すことにより、組付け板１に対する結合板３の傾きの設定を調節する間の、図５ａの接続デバイス１０を示す。第３の調節ねじ１３を回すことにより、第１の摺動ドア９１のドア羽根の傾きは、角度範囲ｗ内で調節できる。
【００５５】
ワードローブ摺動ドア９１の下で第２の調節ねじ２３及び第３の調節ねじ１３に容易に接近できることが示される。しかし、第１の調節ねじ１２は、側部から容易に接近でき、そのため、全ての調節作業を迅速、正確、好都合に実行できる。
【００５６】
図６ａは、図１ｂの接続デバイス１０、１０’の両方を示し、接続デバイス１０、１０’は、組付けねじ９９によって一方の側で第１の摺動ドア９１に接続され、結合ねじ７１によってもう一方の側でキャリッジ・デバイスのキャリッジ・レバー７、７’のそれぞれに接続される。
【００５７】
図６ｂは、摺動ドア９１のない図６ａの接続デバイス１０、１０’を、線Ｂ−Ｂに沿って図２に示す接続デバイス１０’の組付け板１を通る切断部と共に示す。組付け板１の切断により、接続板２が部分的に見える。第１の接続ねじ又はリベット４１は長手方向細穴２４を通して案内されることが示される。第２の接続ねじ又はリベット４２は受入れ開口、例えばねじ穴２６内に保持されることが更に示される。第２の接続フランジ２２は、結合板３に設けた窓開口３５内に延在することが更に示される。第３の調節ねじ１３（右側の接続デバイス上に図示しない）は、調節フランジ１５に設けたねじ穴１５０を通して停止部材２５に対して回転可能であることが更に示される。
【００５８】
図６ｃは、２つのキャリッジ８Ａ、８Ｂを有する下側からの図１ａのワードローブ９の下側部を示し、キャリッジ８Ａ、８Ｂはそれぞれ、２つのキャリッジ・レバー７、７’及び関連する接続デバイス１０、１０’を介して摺動ドア９１、９２のうち１つと接続される。接続デバイス１０、１０’のそれぞれのうち、第２の調節ねじ２３及び第３の調節ねじ１３が見え、これらは、適切な器具により容易に操作できる。
【符号の説明】
【００５９】
１０  接続デバイス
１  組付け板
１１  組付けフランジ
１１１  第１の保持要素、保持二又
１２  第１の調節ねじ
１２１  第１の調節ねじ１２におけるねじのつば
１３  第３の調節ねじ
１４  第１の接続ねじ４１のためのねじ穴
１５  調節フランジ
１５０  第３の接続ねじ１３のためのねじ穴
１６  羽根要素
１７  組付け板１１の本体
１８  組付け孔
１９  切開部
１９０  関節接合部、屈曲区域
２  接続板
２１  第１の接続フランジ
２２  第２の接続フランジ
２３  第２の調節ねじ
２３１  第２の調節ねじ２３のねじつば
２４  接続板２の長手方向細穴
２５  停止部材
２６  第２の接続ねじ４２のためのねじ穴
２８  拡大受渡し開口
３  結合板
３１  結合フランジ
３１１  結合フランジ３１の第２の保持要素３１１
３４  結合板３の長手方向細穴
３５  結合板３の窓開口
３９  安定化リブ
４１  第１の接続要素、例えばねじ又はリベット
４２  第２の接続要素、例えばねじ又はリベット
６  補助用ガイド
７  キャリッジ・レバー
７’  キャリッジ・レバー
７１  結合ねじ
９  １つの家具、特にワードローブ
９０  ワードローブ開口
９１  摺動ドア
９２  摺動ドア
９９  組付けねじ
ｗ  調節角度
【図１ａ】
2016205127.tif 000003
【図１ｂ】
2016205127.tif 000004
【図２】
2016205127.tif 000005
【図３】
2016205127.tif 000006
【図４ａ】
2016205127.tif 000007
【図４ｂ】
2016205127.tif 000008
【図５ａ】
2016205127.tif 000009
【図５ｂ】
2016205127.tif 000010
【図６ａ】
2016205127.tif 000011
【図６ｂ】
2016205127.tif 000012
【図６ｃ】
2016205127.tif 000013